(57)【要約】      （修正有）【課題】単一のアクチュエータでランバーサポートを選択的に前後及び上下位置に調整できるアクチュエータを提供する。【解決手段】第１切替ギヤと第２切替ギヤがソレノイド又は小型モータにより駆動して、電動モータ２による内歯歯車及び円盤状プレートの一方の回転を選択的に阻止又は許容するものであって、単一の電動モータ２で内歯歯車及び円盤状プレートを選択的に回転させることができる車両用シートのランバーサポート用アクチュエータ１。【選択図】図１
2010274016.tif 000002
【特許請求の範囲】
【請求項１】
車両用シートのランバーサポートを駆動するアクチュエータにおいて、
前記アクチュエータは、正回転及び逆回転可能な電動モータと、前記電動モータの出力を減速するウォームギヤ及びウォームホイールと、前記ウォームホイールの同軸に回転自在に支持される円盤状プレートと、前記ウォームホイールの同軸に直結される太陽歯車と、前記太陽歯車と噛合する遊星歯車と、前記遊星歯車と噛合する内歯を形成した内歯歯車を備え、
前記円盤状プレート及び前記内歯歯車の外周縁に外歯が形成され、前記円盤状プレートの外歯と噛合又は離脱して円盤状プレートの回転を阻止又は許容する第１切替ギヤと、前記内歯歯車の外歯と噛合又は離脱して内歯歯車の回転を阻止又は許容する第２切替ギヤと、前記第１切替ギヤ及び第２切替ギヤを駆動させるソレノイド又は小型モータを設けたことを特徴とする車両用シートのランバーサポート用アクチュエータ。
【発明の詳細な説明】
【技術分野】
【０００１】
本発明は、車両用シートのランバーサポートを駆動させるアクチュエータに関するものである。
【背景技術】
【０００２】
車両用シートのランバーサポートをアクチュエータによって駆動させる構成自体は一般的な技術であり、ランバーサポートの調整を単一のアクチュエータで行う構成についても、例えば特許文献１に記載されているようなものがあり、既に周知の技術である。特許文献１に記載のアクチュエータは、円弧状のスロットが形成された可逆ギヤと、可逆ギヤと噛み合うドライバギヤを有するギヤ組立体を備え、2本のケーブルがスロットの対向端部にある1対のリンクにより可逆ギヤに固定される。駆動モータによりドライバギヤが回転して、可逆ギヤが回転すると、一方のリンクがスロットの端部により移動し、他方のリンクがスロット内を摺動し、逆方向に可逆ギヤが回転すると、リンクの他方がスロットの端部により移動し、リンクの一方がスロット内を摺動し、可逆ギヤの回転方向によりケーブルが互いに異なる方向に移動する。
【先行技術文献】
【特許文献】
【０００３】
【特許文献１】特開２００５−５２３７９８号公報
【発明の概要】
【発明が解決しようとする課題】
【０００４】
しかしながら、上述した特許文献１に記載のアクチュエータは、シートフレームに設けられた可撓部材（クッション部）を選択的に弓状に曲げて調整を行うものであり、ケーブルが互いに異なる方向に移動する構成により調整が可能であったが、クッション部を選択的に前後及び上下位置に調整させたい場合には、ケーブルを互いに異なる方向に移動させるアクチュエータでは適用できなかった。
【０００５】
本発明は、上述した課題を解決するためになされたものであり、単一のアクチュエータでランバーサポートのクッション部を選択的に前後及び上下位置に調整できるアクチュエータを提供することを目的とする。
【課題を解決するための手段】
【０００６】
上記課題を解決するために、請求項１に記載のランバーサポート用アクチュエータにおいては、「車両用シートのランバーサポートを駆動するアクチュエータにおいて、
前記アクチュエータは、正回転及び逆回転可能な電動モータと、前記電動モータの出力を減速するウォームギヤ及びウォームホイールと、前記ウォームホイールの同軸に回転自在に支持される円盤状プレートと、前記ウォームホイールの同軸に直結される太陽歯車と、前記太陽歯車と噛合する遊星歯車と、前記遊星歯車と噛合する内歯を形成した内歯歯車を備え、
前記円盤状プレート及び前記内歯歯車の外周縁に外歯が形成され、前記円盤状プレートの外歯と噛合又は離脱して円盤状プレートの回転を阻止又は許容する第１切替ギヤと、前記内歯歯車の外歯と噛合又は離脱して内歯歯車の回転を阻止又は許容する第２切替ギヤと、前記第１切替ギヤ及び第２切替ギヤを駆動させるソレノイド又は小型モータを設けた」ことを特徴とする。
【発明の効果】
【０００７】
請求項１に記載の車両用シートのランバーサポート用アクチュエータにおいては、第１切替ギヤと第２切替ギヤがソレノイド又は小型モータにより駆動して、内歯歯車及び円盤状プレートの回転を阻止又は許容するため、単一の電動モータで内歯歯車及び円盤状プレートを選択的に回転させることができ、その内歯歯車及び円盤状プレートの正回転及び逆回転の出力を利用することで、車両用シートのランバーサポートに適用することができる。
【図面の簡単な説明】
【０００８】
【図１】アクチュエータ１の斜視図
【図２】図１のＡ−Ａ断面図
【図３】図１のＢ−Ｂ断面図
【図４】図１のＣ−Ｃ断面図
【図５】ソレノイドの斜視図
【発明を実施するための最良の形態】
【０００９】
本発明の一実施形態について図１から図５を参照して説明する。
【００１０】
本発明のアクチュエータ１は、図１に示すように、アクチュエータ１は、正回転及び逆回転可能な電動モータ２と、減速ギヤ郡を有するギヤボックス３と、ギヤボックス３に組み付けられ減速ギヤの駆動の切り替えを行うソレノイド４と、ギヤボックス３の減速ギヤに接続され動作する２本のケーブル５、６を備えている。
【００１１】
電動モータ２は、図２、３に示すように、後述するウォームホイール８に電動モータ２の回転を伝達するためのウォームギヤ７が出力軸に直結されている。
【００１２】
ギヤボックス３は、電動モータ２によりウォームギヤ７を介して回転するウォームホイール８と、ウォームホイール８の回転軸１０に回転自在に支持された円盤状プレート９と、図２、４に示すように、ウォームホイール８の回転軸１０に固定支持された太陽歯車１１と、太陽歯車１１と噛合するように円盤状プレート９の取付軸１２に支持された３つの遊星歯車１３と、遊星歯車１３と噛合するような内歯１４を備えた内歯歯車１５を備えている。
【００１３】
ソレノイド４は、図５に示すように、ワイヤ１９、２０を駆動させるものであり、駆動したワイヤ１９、２０が作動プレート１８を押圧し、押圧されて傾動した作動プレート１８が、第１切替ギヤ１６、１７を作動させる。ワイヤ１９を駆動させて第１切替ギヤ１６を作動させた場合、第１切替ギヤ１６が内歯歯車１５の外周ギヤ２１と噛合して、内歯歯車１５の回転を停止させる。ワイヤ２０を駆動させて第２切替ギヤ１７をさせた場合、第２切替ギヤ１７が円盤状プレート９の外周ギヤ２２と噛合して、円盤状プレート９の回転を停止させる。なお、ここではソレノイド４を用いてワイヤ１９、２０を駆動させたが、小型モータを用いてもよい。
【００１４】
２本のケーブル５、６のうち、ケーブル５は一端が内歯歯車１５に固定されて、他端がリンク２３によりランバーサポートのクッション部（図示なし）に連結される。ケーブル６は一端が円盤状プレート９に固定されて、他端がリンク２４によりランバーサポートのクッション部（図示なし）に連結される。
【００１５】
次にアクチュエータ１の動作について説明する。
【００１６】
２本のケーブルのうち、ケーブル５を動作させる場合、ソレノイド４により第２切替ギヤ１７を円盤状プレート９の外周ギヤ２２に噛合させた状態で、電動モータ２を駆動させる。電動モータ２のトルクは、ウォームギヤ７を介してウォームホイール８に倍力され伝達され、ウォームホイール８の回転軸１０と共に太陽歯車１１が回転する。ここで、円盤状プレート９が第２切替ギヤ１７と噛合しているため、円盤状プレート９の取付軸１２に支持された遊星歯車１３は公転できず、自転のみをして、太陽歯車１１の回転を内歯歯車１５に伝達する。
【００１７】
こうして、電動モータ２の出力がウォームギヤ７を介してウォームホイール８に減速されて伝達され、さらに遊星歯車１３を介して内歯歯車１５に倍力され伝達される。ケーブル５の一端が内歯歯車１５に固定されているため、内歯歯車１５の正回転又は逆回転によりケーブル５を押し引きされ、ケーブル５の他端に連結されたランバーサポートのクッション部を前後運動又は上下運動させることができる。
【００１８】
一方、ケーブル６を動作させる場合、ソレノイド４により第１切替ギヤ１６を内歯歯車１５の外周ギヤ２１に噛合させた状態で、電動モータ２を駆動させる。電動モータ２のトルクは、ウォームギヤ７を介してウォームホイール８に倍力され伝達され、ウォームホイール８の回転軸１０と共に太陽歯車１１が回転する。ここで、内歯歯車１５が第１切替ギヤ１６と噛合しているため、太陽歯車１１の回転は内歯歯車１５に伝達されず、遊星歯車１３の公転により円盤状プレート９へ伝達される。
【００１９】
こうして、電動モータ２の出力がウォームギヤ７を介してウォームホイール８に減速されて伝達され、さらに遊星歯車１３を介して円盤状プレート９に減速されて伝達される。ケーブル６の一端が円盤状プレート９に固定されているため、円盤状プレート９の正回転又は逆回転によりケーブル６が押し引きされ、ケーブル６の他端に連結されたランバーサポートのクッション部を上下運動又は前後運動させることができる。
【００２０】
以上に説明したように、本発明のアクチュエータは、ソレノイド４により第１切替ギヤ１６、第２切替ギヤ１７を作動させることで、選択的に内歯歯車１５と円盤状プレート９を回転させることができる。従って、単一の電動モータ２によりケーブル５、６を選択的に一方を押し引きさせることができ、ランバーサポートのクッション部の上下及び前後位置を調整させることができる。
【符号の説明】
【００２１】
１    アクチュエータ
２    電動モータ
３    ギヤボックス
４    ソレノイド
５    ケーブル
７    ウォームギヤ
８    ウォームホイール
９    プレート
１１  太陽歯車
１３  遊星歯車
１５  内歯歯車
１６  第１切替ギヤ
１７  第２切替ギヤ
【図１】
2010274016.tif 000003
【図２】
2010274016.tif 000004
【図３】
2010274016.tif 000005
【図４】
2010274016.tif 000006
【図５】
2010274016.tif 000007